(57)【要約】【課題】保持部材と床面との間からシートをスムーズに床面上に引き出せることができる開口部の防水装置及び防水装置の保持部材を提供すること。【解決手段】構造物Ｓの屋内側と屋外側とを連通しかつ開閉体４によって開閉される開口部２に設置されるシート１０と、シート１０を開閉体４よりも屋外側の位置で構造物Ｓに対して保持する保持部材２０とを備え、保持部材２０は、シート１０が開閉体４の鉛直方向下端側の所定部４１と、構造物Ｓのうち所定部４１に隣接する部分とを一体に覆うことで開口部２の鉛直方向下端側を閉塞し、かつシート下部１３が幅木５の表面５ａ及び床面６に沿って屋外側に向けて延在するようにシート１０を保持し、下端２１ｂと幅木５の表面５ａとの間には間隙Ｇが設けられている。【選択図】図１
2014118796.tif 000002
【特許請求の範囲】
【請求項１】
構造物の屋内側と屋外側とを連通し、かつ開閉体によって開閉される開口部に設置されるシートと、
前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように、前記シートを前記開閉体よりも屋外側に位置付けて、前記シートの幅方向の端を保持する保持部材と、を備え、
前記保持部材の下端と前記床面との間には、前記屋外側に露出する間隙が設けられている
ことを特徴とする開口部の防水装置。
【請求項２】
前記間隙は、前記保持部材の下端に設けられかつ前記屋外側に向うにしたがって上方に向かって水平方向と鉛直方向との双方に対して傾斜したテーパ面により形成されている
ことを特徴とする請求項１に記載の開口部の防水装置。
【請求項３】
前記保持部材の下端には、前記テーパ面よりも前記屋内側に設けられかつ前記テーパ面に連なった水平方向に平行な水平面が設けられている
ことを特徴とする請求項２に記載の開口部の防水装置。
【請求項４】
前記間隙は、前記保持部材の下端から凸に設けられかつ前記床面に当接可能な凸部により形成されている
ことを特徴とする請求項１に記載の開口部の防水装置。
【請求項５】
シートが構造物の屋内側と屋外側とを連通する開口部を開閉する開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように、前記シートを前記開閉体よりも屋外側に位置付けて、前記シートの幅方向の端を保持する防水装置の保持部材において、
下端には、前記屋外側に向うにしたがって上方に向かって水平方向と鉛直方向との双方に対して傾斜したテーパ面が設けられている
ことを特徴とする防水装置の保持部材。
【請求項６】
前記下端には、前記テーパ面よりも前記屋内側に設けられかつ前記テーパ面に連なった水平方向に平行な水平面が設けられている
ことを特徴とする請求項５に記載の防水装置の保持部材。
【請求項７】
シートが構造物の屋内側と屋外側とを連通する開口部を開閉する開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように、前記シートを前記開閉体よりも屋外側に位置付けて、前記シートの幅方向の端を保持する防水装置の保持部材において、
下端には、凸に設けられかつ前記床面に当接可能な凸部が設けられている
ことを特徴とする防水装置の保持部材。
【発明の詳細な説明】
【技術分野】
【０００１】
本発明は、開口部の防水装置及び防水装置の保持部材に関する。
【背景技術】
【０００２】
従来、開閉体によって開閉される開口部からの浸水を抑制する技術が提案されている。例えば、特許文献１には、開閉体としてのシャッタの裏面には屈曲自在な防水シートが設けられていると共に、防水シートと対向するようにしてガイド部材にはシール部材が設けられ、シャッタに浸水しようとする氾濫水等の水圧がシャッタの表面に作用すると、防水シートがシール材に圧接されるようになっている、浸水防止機能を備えたシャッタ装置の技術が開示されている。
【先行技術文献】
【特許文献】
【０００３】
【特許文献１】特許第４４５９７４０号公報
【発明の概要】
【発明が解決しようとする課題】
【０００４】
前述した特許文献１に示された技術では、開口部からの浸水を抑制することについて、なお改良の余地がある。例えば、シャッタとガイド部材との隙間以外の経路からも水が浸入する可能性がある。このために、シャッタの表面側に防水シートを保持部材により保持することが提案されている。この場合、シートの幅方向の両端を保持する保持部材と床面との間から床面上にシートを引き出し難くなる、というなお改良の余地がある。例えば、増水時などの非常時に、保持部材と床面との間からシートをスムーズに床面上に引き出せることが望まれている。
【０００５】
本発明の目的は、保持部材と床面との間からシートをスムーズに床面上に引き出せることができる開口部の防水装置及び防水装置の保持部材を提供することである。
【課題を解決するための手段】
【０００６】
本発明の開口部の防水装置は、構造物の屋内側と屋外側とを連通し、かつ開閉体によって開閉される開口部に設置されるシートと、前記シートが前記開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように、前記シートを前記開閉体よりも屋外側に位置付けて、前記シートの幅方向の端を保持する保持部材と、を備え、前記保持部材の下端と前記床面との間には、前記屋外側に露出する間隙が設けられていることを特徴とする。
【０００７】
上記開口部の防水装置では、保持部材の下端と床面との間に間隙が設けられているので、この間隙を通して保持部材の下端から床面上にシートをスムーズに引き出すことができる。
【０００８】
上記開口部の防水装置において、前記間隙は、前記保持部材の下端に設けられかつ前記屋外側に向うにしたがって上方に向かって水平方向と鉛直方向との双方に対して傾斜したテーパ面により形成されていることが好ましい。
【０００９】
上記開口部の防水装置では、保持部材の下端に設けられたテーパ面により間隙が形成されているので、シートを床面上にスムーズに引き出すことができることにくわえ、間隙を一定の大きさとすることができ、間隙による浸水を最小限にすることができる。また、シートを保持部材から取り外す際に、テーパ面が床面上のシートを保持部材に引き込むように案内するので、容易にシートを取り外すことができる。
【００１０】
上記開口部の防水装置において、前記保持部材の下端には、前記テーパ面よりも前記屋内側に設けられかつ前記テーパ面に連なった水平方向に平行な水平面が設けられていることが好ましい。
【００１１】
上記開口部の防水装置では、保持部材の下端に、テーパ面と床面に平行な水平面とが形成されているので、間隙を設けても、水平面を床面に重ねることができ、水平面を床面に重ねると、保持部材の下端と床面との間の隙間を抑制することができる。よって、保持部材と床面との間からの浸水を抑制することができる。
【００１２】
上記開口部の防水装置において、前記間隙は、前記保持部材の下端から凸に設けられかつ前記床面に当接可能な凸部により形成されていることが好ましい。
【００１３】
上記開口部の防水装置では、保持部材の下端に設けられた凸部により間隙が形成されているので、シートを床面上にスムーズに引き出すことができることにくわえ、間隙を一定の大きさとすることができ、間隙による浸水を最小限にすることができる。
【００１４】
本発明の防水装置の保持部材は、シートが構造物の屋内側と屋外側とを連通する開口部を開閉する開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように、前記シートを前記開閉体よりも屋外側に位置付けて、前記シートの幅方向の端を保持する防水装置の保持部材において、下端には、前記屋外側に向うにしたがって上方に向かって水平方向と鉛直方向との双方に対して傾斜したテーパ面が設けられていることを特徴とする。
【００１５】
上記防水装置の保持部材では、下端にテーパ面を設けているので、構造物に設置されると、下端と床面との間に間隙を形成することとなる。このために、シートを床面上にスムーズに引き出すことができ、間隙を一定の大きさとすることができ、間隙による浸水を最小限にすることができる。
【００１６】
上記防水装置の保持部材において、前記下端には、前記テーパ面よりも前記屋内側に設けられかつ前記テーパ面に連なった水平方向に平行な水平面が設けられていることが好ましい。
【００１７】
上記防水装置の保持部材では、保持部材の下端に、テーパ面に連なりかつ水平方向に平行な水平面が形成されているので、間隙を設けても、水平面を床面に重なることができ、水平面を床面に重ねると、保持部材の下端と床面との間の隙間を抑制することができる。よって、保持部材と床面との間からの浸水を抑制することができる。
【００１８】
本発明の防水装置の保持部材は、シートが構造物の屋内側と屋外側とを連通する開口部を開閉する開閉体の鉛直方向下端側の所定部と、前記構造物のうち前記所定部に隣接する部分とを一体に覆うことで前記開口部の鉛直方向下端側を閉塞し、かつ前記シートの鉛直方向下端部が床面に沿って屋外側に向けて延在するように、前記シートを前記開閉体よりも屋外側に位置付けて、前記シートの幅方向の端を保持する防水装置の保持部材において、下端には、凸に設けられかつ前記床面に当接可能な凸部が設けられていることを特徴とする。
【００１９】
上記防水装置の保持部材では、下端に凸部を設けているので、構造物に設置されると、下端と床面との間に間隙を形成することとなる。このために、シートを床面上にスムーズに引き出すことができ、間隙を一定の大きさとすることができ、間隙による浸水を最小限にすることができる。
【発明の効果】
【００２０】
本発明に係る開口部の防水装置及び保持部材は、シートを床面上にスムーズに引き出すことができるという効果を奏する。
【図面の簡単な説明】
【００２１】
【図１】図１は、本発明の実施形態に係る開口部の防水装置を示す斜視図である。
【図２】図２は、実施形態に係る開口部の防水装置により防水される開口部などを示す斜視図である。
【図３】図３は、実施形態に係る開口部の防水装置の押圧部材などを示す斜視図である。
【図４】図４は、実施形態に係る開口部の防水装置の押圧部材がシートを押圧している状態を示す斜視図である。
【図５】図５は、図３中のＶ−Ｖ線に沿う断面図である。
【図６】図６は、実施形態の第１変形例に係る開口部の防水装置の要部を示す縦断面図である。
【図７】図７は、実施形態の第２変形例に係る開口部の防水装置の要部を示す縦断面図である。
【図８】図８は、実施形態の第３変形例に係る開口部の防水装置の要部を示す縦断面図である。
【発明を実施するための形態】
【００２２】
以下に、本発明の実施形態に係る開口部の防水装置につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００２３】
［実施形態］
図１から図５を参照して、実施形態について説明する。本実施形態は、構造物の開口部を防水する開口部の防水装置に関する。図１は、本発明の実施形態に係る開口部の防水装置を示す斜視図、図２は、実施形態に係る開口部の防水装置により防水される開口部などを示す斜視図、図３は、実施形態に係る開口部の防水装置の押圧部材などを示す斜視図、図４は、実施形態に係る開口部の防水装置の押圧部材がシートを押圧している状態を示す斜視図、図５は、図３中のＶ−Ｖ線に沿う断面図である。
【００２４】
建物等の構造物の外部開口部には、開閉体としての開閉扉が付けられることが多い。例えば、洪水時などに浸水すると商品が毀損されやすい店舗等の入口にもガラスなどで構成された開閉扉が付けられていることが多い。開閉扉には、扉間及び書く扉と開口部との間に隙間があるために、ゲリラ豪雨や洪水時には隙間を介した浸水によって店舗等の施設が被害に遭う可能性がある。
【００２５】
浸水対策として、開閉扉の下部を防水板（パネル）に変更する方法も考えられるが、一般的に高額となりやすいため、ユーザーにとって受け入れにくい場合がある。
【００２６】
本実施形態の開口部の防水装置１は、開閉扉の前にシートを設置して、簡易的にかつ安価に止水することを可能とする。シートは、シャッターとその周囲の構造物とを一体に覆うことで、シャッターと構造物との隙間を閉塞し、適切に止水することができる。よって、本実施形態の開口部の防水装置１によれば、水害による建物内部の被害を軽減することができる。
【００２７】
図１に示す開口部の防水装置１は、構造物Ｓの開口部２（図２に示す）を閉塞し、屋外側から屋内側への水の浸入を抑制するものである。構造物Ｓは、例えば、工場、倉庫、車庫、店舗、家屋等の建築構造物であり、開口部２を有している。開口部２は、構造物Ｓの壁部等に形成されており、構造物Ｓの屋外側と屋内側とを連通している。
【００２８】
屋内側、屋外側とは説明上分かりやすくするための便宜上の表現であって、屋外側とは、水が浸入する場合の上流側のことであり、屋内側とは、上流側から水が浸入する可能性がある側であり、本発明においては水が浸入してくるのを阻止や抑制したい側のことである。開閉扉や壁等とともに防水装置１を、例えば単なる道路の防水用仕切りとして使用したり、外部空間における門等の箇所に取り付ける等のように、家屋や部屋等の概念がない箇所に設けても良い。また、開口部２は、前述の屋外側と屋内側とを連通するものとすることができる。本実施形態の開口部２は、構造物Ｓの外殻をなす壁部３に形成されており、壁部３を貫通して構造物Ｓの屋外と屋内とを連通している。なお、これに限らず、開口部２は、構造物Ｓの内部を仕切る壁部に形成されたものであってもよい。
【００２９】
開閉扉４は、開口部２を開閉する開閉体である。開閉扉４は、図２に示すように、開閉方向、本実施形態では左右水平方向に移動する一対の扉４ａ，４ｂを備えている。本実施形態では、構造物Ｓの開口部２の周りの壁部３は、ガラスなどの透明叉は半透明の材料で構成されている。
【００３０】
開閉扉４の一対の扉４ａ，４ｂは、図示しないガイドレールによって案内される。ガイドレールは、開口部２の上下両端に設けられ、壁部３の表面である壁面３ａ，３ｂに平行である。なお、壁面３ａ，３ｂは、開口部２の幅方向に互いに並べられて、互いの間に開口部２を位置付ける。扉４ａ，４ｂの上下方向の両端部は、それぞれガイドレールの溝部に挿入されている。溝部は、開閉方向即ち左右水平方向に延在しており、扉４ａ，４ｂを開閉方向、即ち、左右方向に移動自在に案内する。また、本実施形態では、壁３及び扉４ａ，４ｂの下端部には、壁３及び扉４ａ，４ｂよりも厚い幅木５，７が設けられている。なお、本発明でいう床面とは、説明上分かりやすくするための便宜上の表現であって、通常の床面６のみならず、コンクリート面や地面等の開口部２の下方に位置する面及び幅木５の表面５ａを総称する。
【００３１】
開閉扉４は、一対の扉４ａ，４ｂが互いに近付いて開口部２を閉塞し、一対の扉４ａ，４ｂが互いに離間して開口部２を開放する。扉４ａ，４ｂの移動は、手動でなされても、モータ等の駆動装置によって自動でなされてもよい。本実施形態の開閉扉４は、一対の扉４ａ，４ｂ、ガイドレールなどを有する。
【００３２】
図１に戻り、開口部の防水装置（以下、防水装置と呼ぶ）１は、シート１０、保持部材２０および押圧部材３０を備える。シート１０は、開口部２に設置されるものであり、開口部２の鉛直方向下端側の領域を閉塞することが可能な幅および長さを有している。シート１０の形状は、例えば、矩形である。シート１０は、遮水性を有しており、開口部２の防水シートとして機能することができる。また、シート１０は、可撓性を有しており、伸縮可能であってもよい。シート１０の素材は、例えば、樹脂、ゴム、表面を樹脂などでコーティングした布とすることができる。シート１０は、水圧による開閉扉４等の開閉体の変形に追従できる素材で構成されることが好ましい。
【００３３】
シート１０の幅は、開閉扉４の幅よりも大きい。また、シート１０の幅は、開口部２の幅、言い換えると壁面３ａと壁面３ｂとの距離よりも大きいことが好ましい。シート１０の鉛直方向の長さは、対応すべき水深に基づいて定められている。すなわち、開閉扉４の下端から鉛直方向上側に向けてどの範囲をシート１０によって覆い防水するかに基づいてシート１０の全長が定められている。以下の説明では、開閉扉４においてシート１０によって覆われるべき部分を「所定部」（図１の符号４１参照）と称する。所定部４１は、開閉扉４の鉛直方向下端側の部分である。
【００３４】
保持部材２０は、シート１０を開閉扉４よりも屋外側に位置付けて構造物Ｓに対して保持する。より詳しくは、保持部材２０は、開閉扉４の所定部４１と、構造物Ｓのうち所定部４１に隣接する部分とを一体に覆うことで開口部２の鉛直方向下端部を閉塞させるようにシート１０を保持する。また、保持部材２０は、シート１０の鉛直方向下端部が幅木５の表面５ａ及び床面６に沿って屋外側に向けて延在するようにシート１０の幅方向の両端を保持する。これにより、シート１０は、開閉扉４が有する隙間や開閉扉４と構造物Ｓとの隙間を塞ぎ、屋内側への浸水を抑制することができる。なお、本明細書では、シート１０の鉛直方向下端部であって、シート１０が保持部材２０によって保持された状態で床面６及び幅木５の表面５ａに沿って延在する部分を、以下「シート下部１３」と記載する。
【００３５】
図１に示すように、保持部材２０は、アルミニウム合金等で構成され、一対設けられている。保持部材２０は、壁面３ａ，３ｂにそれぞれ取り付けられている。保持部材２０は、断面Ｃ字形状のＣ字状部２１と、Ｃ字状部２１に連なった平板状部２２とを備えている。保持部材２０のＣ字状部２１は、互いに対向する面にスリット２１ａが形成されている。平板状部２２は、Ｃ字状部２１のスリット２１ａの背面側に連なり、壁面３ａ，３ｂに取り付けられる。保持部材２０は、鉛直方向に延在しており、開閉扉４の所定部４１に対応する範囲に配置されている。すなわち、保持部材２０は、開閉扉４の下端から所定部４１の上端までの範囲に対応して配されている。なお、本発明では、保持部材２０は、防水装置１の防水性能等の使用上の問題がないような実質的な意味で開閉扉４の所定部４１に対応していればよく、例えば、保持部材２０の上端は必ずしも所定部４１の上端と一致せず、若干下側に位置していてもよい。
【００３６】
また、保持部材２０のＣ字状部２１の下端２１ｂ（保持部材２０の下端に相当）には、図５に示すように、テーパ面２３と、水平面２４とが設けられている。テーパ面２３は、屋外側に向うにしたがって徐々に上方に向かって水平方向と鉛直方向との双方に対して傾斜している。水平面２４は、テーパ面２３に連なりかつテーパ面２３よりも屋内側に設けられている。水平面２４は、保持部材２０が壁面３ａ，３ｂに取り付けられると、水平方向に平行に形成されている。
【００３７】
また、シート１０の幅方向の両端には、それぞれ心材１１が配置されている。心材１１は、軽量でかつ可撓性を有する素材、例えば樹脂素材で形成されている。心材１１は、シート１０の幅方向の両端の上端から所定部４１の下端に対応する箇所、即ち、シート１０の幅方向の両端のシート下部１３を除く箇所に配置されている。心材１１は、シート１０の長さ方向（鉛直方向）に延在している。心材１１は、断面矩形の平板形状であり、シート１０の壁面３ａ，３ｂ及び扉４ａ，４ｂに相対する面に設けられ、保持部材２０のＣ字状部２１に挿入可能である。保持部材２０のＣ字状部２１のスリット２１ａの幅は、シート１０と心材１１をあわせた厚みよりも小さいため、心材１１がスリットを介してＣ字状部２１から抜け出ることが規制される。なお、心材１１は、断面矩形のものには限定されず、例えば、断面が多角形状や円形のものであってもよい。
【００３８】
押圧部材３０は、シート１０の下端部に配置されて、シート１０を構造物Ｓに向けて押圧するものであり、例えばシート１０を幅木５の表面５ａ、床面６及び壁面３ａ，３ｂに向けて押圧する。押圧部材３０は、図３及び図４に示すように、止水ゴムで構成された挟持部３１と、挟持部３１に連なった錘部３２とを備えている。挟持部３１を構成する止水ゴムは、止水性と弾性を有するゴムなどの合成樹脂である。挟持部３１は、保持部材２０のＣ字状部２１の下端部を挟持する一対の柱状部材３１ａを備えている。一対の柱状部材３１ａ間の間隔は、保持部材２０のＣ字状部２１の幅よりも小さい。
【００３９】
錘部３２は、壁面３ａ，３ｂ、幅木５の表面５ａ及び床面６に沿って階段状に屈曲しており、止水ゴムで構成されかつ挟持部３１に連なった止水層３２ａと、止水層３２ａ上に積層されかつ金属で構成された錘層３２ｂとを備えている。
【００４０】
また、押圧部材３０は、挟持部３１と錘部３２の錘層３２ｂとを連結する連結部３３を備えている。押圧部材３０は、錘部３２の錘層３２ｂにより、浮力に抗してシート１０の下端部１３を床面６及び壁面３ａ，３ｂに向けて押圧することができる質量や密度を有している。
【００４１】
押圧部材３０は、シート１０が保持部材２０により所定部４１と所定部４１に隣接する部分とを一体に覆いかつシート下部１３が床面６及び幅木５の表面５ａに沿って屋外側に向けて延在した状態で、挟持部３１が保持部材２０のＣ字状部２１を挟持して錘部３２がシート下部１３の上に設置される。そして、図１および図４に示すように、押圧部材３０は、開閉扉４の下端部の近傍、すなわちシート１０が開閉扉４に沿った部分から幅木５の表面５ａ及び床面６に沿った部分へと屈曲した位置に配置されている。これにより、開閉扉４の下端部の近傍においてシート１０を幅木５の表面５ａ及び床面６に密着させておくことができる。
【００４２】
シート１０を開口部２に設置する場合、即ち、防水装置１を組み立てる場合、まず、保持部材２０を壁面３ａ，３ｂに取り付ける。この際、図５に示すように、水平面２４を幅木５の表面５ａ上に重ねて、保持部材２０を壁面３ａ，３ｂに取り付けられる。すると、防水装置１では、保持部材２０の下端２１ｂと床面６を構成する幅木５の表面５ａとの間には、屋外側に露出する間隙Ｇが設けられている。即ち、本実施形態では、間隙Ｇは、テーパ面２３により構成されている。
【００４３】
そして、シート１０の幅方向の両端及び心材１１を、保持部材２０の上端からＣ字状部２１内に挿入し、シート１０の両端及び心材１１を保持部材２０の下端２１ｂに向けてＣ字状部２１内を移動する。そして、シート１０の両端及び心材１１が保持部材２０のＣ字状部２１に挟持され、シート１０の心材１１が設けられていないシート下部１３を、保持部材２０の下端２１ｂに設けられた間隙Ｇを通して、床面６上に引き出し、幅木５の表面５ａ及び床面６に沿って屋外側に向けて延在される。
【００４４】
すると、シート１０の幅は、開口部２の幅Ｗ（図２参照）よりも大きく、以下に示すような幅に設定している。すなわち、シート１０の両端が保持部材２０によって保持された状態で、シート１０は、たるみを有している。つまり、保持部材２０は、シート１０がたるみを有した状態でシート１０を保持し、シート１０が保持部材２０よりも開閉扉４側に向けて撓んで所定部４１と接触することを許容する。従って、シート１０が保持部材２０によって保持された状態で、シート１０を壁面３ａ，３ｂおよび開閉扉４の各扉４ａ，４ｂに沿わせ、壁面３ａ，３ｂおよび開閉扉４の各扉４ａ，４ｂと互いに接触した状態に設置することが可能である。なお、保持部材２０に保持され、かつ水圧がかかる前の状態において、シート１０が開閉扉４の各扉４ａ，４ｂおよび壁面３ａ、３ｂに密着可能な程度のたるみを有していることが好ましい。
【００４５】
また、シート１０の鉛直方向の長さは、開閉扉４の所定部４１の鉛直方向の長さよりも長く、以下に示すような長さに設定している。すなわち、シート１０が保持部材２０によって保持された状態で、シート下部１３を床面６上に垂らし、幅木５の表面５ａ及び床面６に沿わせることが可能である。シート１０は、このシート下部１３を幅木５の表面５ａ及び床面６に沿って屋外側に向けて延在させた状態で設置される。言い換えると、シート１０は、シート下部１３が幅木５の表面５ａ及び床面６と互いに対向し、かつ先端側へ向かうに従い開閉扉４から離間するように配置される。
【００４６】
そして、押圧部材３０の挟持部３１に保持部材２０のＣ字状部２１の下端部を挟持させ、押圧部材３０の錘部３２を幅木５の表面５ａ及び床面６上のシート下部１３上に載置する。こうして、シート１０が所定部４１と壁面３ａ，３ｂの所定部４１に隣接する部分とを一体に覆いかつシート下部１３が幅木５の表面５ａ及び床面６に沿って屋外側に向けて延在した状態で、押圧部材３０によりシート１０を幅木５の表面５ａ及び床面６、構造物Ｓの壁面３ａ，３ｂ及び開閉扉４の各扉４ａ，４ｂに向けて押圧する。こうして、防水装置１が組み立てられる。
【００４７】
また、防水装置１は、シート１０の上端部を構造物Ｓの開閉扉４の各扉４ａ，４ｂに向けて押圧する図示しない他の押圧部材を備えても良い。他の押圧部材として、粘着式のテープや面ファスナー、吸盤等を用いることができる。この種の他の押圧部材によってシート１０が開閉扉４の各扉４ａ，４ｂに向けて吸引されることにより、シート１０が垂れ下がることが抑制される。これにより、シート１０の上端を狙いとする水位の位置よりも上方に保持しておくことができる。
【００４８】
本実施形態の防水装置１では、洪水やゲリラ豪雨等によって屋外の水嵩が増すと、まずシート下部１３が水に接する。水圧によってシート下部１３は床面６に向けて押圧されて床面６に密着する。これにより、シート下部１３と床面６との間から水が浸入することが抑制される。また、押圧部材３０によってシート下部１３が床面６に向けて押圧されていることで、低水位の場合であってもシート下部１３と床面６との隙間を介した浸水がより確実に抑制される。また、押圧部材３０は、水流等によってシート下部１３が浮き上がることを抑制することが可能である。シート１０は、水圧によって所定部４１と、所定部４１に隣接する床面６とを一体に覆うことができる。
【００４９】
また、シート１０において、開閉扉４の各扉４ａ，４ｂや壁面３ａ，３ｂを覆う部分は、水圧によって開閉扉４の各扉４ａ，４ｂや壁面３ａ，３ｂに向けて押圧される。これにより、シート１０は、開閉扉４の所定部４１と、所定部４１に隣接する壁面３ａ，３ｂとを一体に覆うことができる。シート１０は、水圧によって押圧されることにより、開閉扉４の各扉４ａ，４ｂや壁面３ａ，３ｂ等に密着し、シート１０と開閉扉４の各扉４ａ，４ｂ、壁面３ａ，３ｂとの間に水が浸入することを抑制することができる。
【００５０】
また、シート１０は、水圧によって開閉扉４の各扉４ａ，４ｂ間や各扉４ａ，４ｂと壁面３ａ，３ｂとの間の隙間を塞ぐことで、これらの隙間を介した屋内側への浸水を抑制することができる。シート１０は、水圧によって開閉扉４の所定部４１と、所定部４１に隣接する幅木５の表面５ａ及び床面６との隙間を塞ぐことで、開閉扉４と床面６との隙間を介した屋内側への浸水を抑制することができる。
【００５１】
シート１０は、水圧によって開閉扉４の各扉４ａ，４ｂ等に対して押圧されるため、水位が増加するに従い開閉扉４の各扉４ａ，４ｂ等に対する密着性が増し、また各隙間を閉塞する閉塞性が増す。よって、シート１０は、水位に応じて遮水性能が増し、適切に屋内側への浸水を抑制することができる。
【００５２】
また、シート１０は、予めたるみを有した状態で保持部材２０によって保持されているため、水位の増加に応じて水圧によって速やかに開閉扉４の各扉４ａ，４ｂや壁面３ａ，３ｂ等に密着することが可能である。また、たるみを有しているため、開閉扉４の各扉４ａ，４ｂ間の隙間など、各部の隙間の形状に対応して適切に変形・屈曲し、各隙間を速やかにかつ適切に閉塞することができる。
【００５３】
本実施形態の防水装置１によれば、保持部材２０の下端２１ｂと床面６との間に間隙Ｇが設けられている。このために、間隙Ｇを通して保持部材２０の下端２１ｂから床面６上にシート１０をスムーズに引き出すことができる。したがって、防水装置１を迅速に容易に組み立てることができる。
【００５４】
また、間隙Ｇが保持部材２０の下端２１ｂに設けられたテーパ面２３により形成されているので、シート１０を床面６上にスムーズに引き出すことができることにくわえ、間隙Ｇを一定の大きさとすることができる。このために、防水装置１は、間隙Ｇによる浸水を最小限にすることができる。また、シート１０を保持部材２０から取り外す際に、テーパ面２３により床面６上のシートが保持部材２０のＣ字状部２１内に引き込まれるように案内するので、容易にシート１０を取り外すことができる。
【００５５】
さらに、防水装置１では、保持部材２０の下端２１ｂにテーパ面２３に連なる水平方向に平行な水平面２４が形成されているので、間隙Ｇを設けても水平面２４を床面６に重ねることで、保持部材２０の下端２１ｂを幅木５の表面５ａに重ねることができる。よって、防水装置１は、間隙Ｇを最小限の一定の大きさに保ちながらも、保持部材２０と幅木５の表面５ａとの間の隙間を抑制することができる。したがって、防水装置１は、保持部材２０と幅木５の表面５ａとの間からの浸水を抑制することができる。
【００５６】
［実施形態の第１変形例］
実施形態の第１変形例について説明する。図６は、実施形態の第１変形例に係る開口部の防水装置の要部を示す縦断面図である。図６において、実施形態と同一部分には、同一符号を付して説明を省略する。
【００５７】
第１変形例の防水装置１−１では、図６に示すように、壁に幅木５が設けられずに、壁が床面６から直接立設して、水平面２４が床面６に重なっている。第１変形例では、押圧部材３０の錘部３２は、図示しないが、床面６に沿って平坦に形成されている。第１変形例の防水装置１−１も、実施形態の防水装置１と同様に、間隙Ｇを通して保持部材２０の下端２１ｂから幅木５の表面５ａ及び床面６上にシート１０をスムーズに引き出すことができ、迅速に容易に組み立てることができ、保持部材２０と床面６との間からの浸水を抑制することができる、という効果を奏する。
【００５８】
［実施形態の第２変形例］
実施形態の第２変形例について説明する。図７は、実施形態の第２変形例に係る開口部の防水装置の要部を示す縦断面図である。図７において、実施形態、第１変形例と同一部分には、同一符号を付して説明を省略する。
【００５９】
第２変形例の防水装置１−２では、図７に示すように、保持部材２０は、下端２１ｂに凸部２５を設けている。凸部２５は、壁面３ａ，３ｂに取り付けられた保持部材２０の水平方向に平行な下端２１ｂの壁面３ａ，３ｂ寄りの箇所から下方に凸に設けられている。凸部２５は、壁面３ａ，３ｂに保持部材２０が取り付けられると、幅木５の表面５ａに当接可能である。なお、図７に示す例では、凸部２５は、幅木５の表面５ａに当接している。そして、第２変形例では、防水装置１は、幅木５の表面５ａに当接する凸部２５により、間隙Ｇが形成されている。
【００６０】
第２変形例の防水装置１−２は、実施形態の防水装置１などと同様に、間隙Ｇを通して保持部材２０の下端２１ｂから床面６上にシート１０をスムーズに引き出すことができ、迅速に容易に組み立てることができる、という効果を奏する。さらに、第２変形例の防水装置１−２は、間隙Ｇが保持部材２０の下端２１ｂに設けられた凸部２５により形成されているので、間隙Ｇを一定の大きさとすることができ、間隙Ｇによる浸水を最小限にすることができる、という効果を奏する。なお、第２変形例では、第１変形例と同様に幅木５を設けなくても良い。
【００６１】
［実施形態の第３変形例］
実施形態の第３変形例について説明する。図８は、実施形態の第３変形例に係る開口部の防水装置の要部を示す縦断面図である。図８において、実施形態、第１及び第２変形例と同一部分には、同一符号を付して説明を省略する。
【００６２】
第３変形例の防水装置１−３では、図８に示すように、保持部材２０は、壁面３ａ，３ｂに取り付けられると、下端２１ｂが水平方向に平行に形成されている。防水装置１−３は、下端２１ｂが幅木５の表面５ａから間隔をあけて、下端２１ａと幅木５の表面５ａとの間に間隙Ｇが形成されている。
【００６３】
第３変形例の防水装置１−３は、実施形態などと同様に、間隙Ｇを通して保持部材２０の下端２１ｂから床面６上にシート１０をスムーズに引き出すことができ、迅速に容易に組み立てることができる、という効果を奏する。なお、第３変形例では、第１変形例などと同様に幅木５を設けなくても良い。
【００６４】
なお、実施形態、第１変形例〜第３変形例では、防水装置１，１−１，１−２，１−３を組み立てる場合、壁面３ａ，３ｂに保持部材２０を取り付けるようにしたが、本発明では、予め、壁面３ａ，３ｂに保持部材２０を取り付けておいても良い。また、防水装置１，１−１，１−２，１−３を組み立てる時に壁面３ａ，３ｂに保持部材２０を取り付ける場合には、予め壁面３ａ，３ｂの保持部材２０を取り付ける位置に、保持部材２０の位置を示す印（マーキングともいう）を設けても良い。
【００６５】
また、実施形態、第１変形例〜第３変形例では、開閉体として開閉扉４を示しているが、本発明では、開閉体として、複数のスラットを開閉方向に連接して形成されて昇降動作などの移動することで開口部２を開閉するシャッターカーテンを用いても良い。この場合、シート１０の上端部を構造物Ｓの開閉体に押圧するために、他の押圧部材としてマグネットを用いても良い。
【００６６】
上記の各実施形態および変形例に開示された内容は、適宜組み合わせて実行することができる。
【符号の説明】
【００６７】
１，１−１，１−２，１−３  開口部の防水装置
２  開口部
３  壁部
３ａ，３ｂ  壁面
４  開閉扉（開閉体）
５  幅木
５ａ  表面（床面）
６  床面
１０  シート
１３  シート下部
２０  保持部材
２１ｂ  下端
２３  テーパ面
２４  水平面
２５  凸部
４１  所定部
Ｇ  間隙
Ｓ  構造物
【図１】
2014118796.tif 000003
【図２】
2014118796.tif 000004
【図３】
2014118796.tif 000005
【図４】
2014118796.tif 000006
【図５】
2014118796.tif 000007
【図６】
2014118796.tif 000008
【図７】
2014118796.tif 000009
【図８】
2014118796.tif 000010